(57)【特許請求の範囲】
【請求項１】
複数種類の印刷機本体と、複数種類のドラムユニットと、複数種類のインクボトルとが存在し、この内から所望の印刷機本体を選択し、この選択した印刷機本体に適合する前記ドラムユニットを選択して装着し、この装着した前記ドラムユニットに適合し、且つ、所望の前記インクボトルを選択して装着することによって構成される印刷装置において、
前記印刷機本体と前記ドラムユニットとは、互いの通信手段を介して情報の授受を可能に構成し、
前記印刷機本体には、各種コードを入力できる入力手段と、複数種類の印刷機本体の機種コードとこれに適合するドラムユニットのドラム種類コードとの対応情報を記憶する本体側対応情報メモリと、コード情報を記憶する本体側コード記憶手段とを設け、前記入力手段により入力された前記印刷機本体の機種コードに対応するドラム種類コードを前記本体側対応情報メモリの対応情報より導き出し、この導き出されたドラム種類コードと入力された機種コードとを前記本体側コード記憶手段に記憶し、
前記ドラムユニットには、複数種類のドラム種類コード及びカラーコードの各組合わせとこれに適合する前記インクボトルのボトルコードとの対応情報を記憶するドラム側対応情報メモリと、コード情報を記憶するドラム側コード記憶手段とを設け、前記入力手段により入力されたカラーコードと前記本体側コード記憶手段に記憶されたドラム種類コードを情報として対応するボトルコードを前記ドラム側対応情報メモリの対応情報より導き出し、この導き出されたボトルコードと前記本体側コード記憶手段からのドラム種類コードとを前記ドラム側コード記憶手段に記憶したことを特徴とする印刷装置。
【請求項２】
請求項１記載の印刷装置であって、前記ドラムユニットには装着された前記インクボトルのボトルコードを検出するボトルコード検出手段を設け、このボトルコード検出手段に検出されたボトルコードと前記ドラム側コード記憶手段に記憶されたボトルコードとを比較してボトル違いエラーを検出したことを特徴とする印刷装置。
【請求項３】
請求項２記載の印刷装置であって、前記ドラムユニットに前記インクボトルが未装着の場合、又は、間違ったインクボトルが装着されている場合には、未装着又はボトル違いエラーを表示すると共に、前記ドラム側コード記憶手段に記憶されたボトルコードに対応するインクボトルの種類を表示したことを特徴とする印刷装置。
【発明の詳細な説明】
【０００１】
【発明の属する技術分野】
本発明は、各複数種類の印刷機本体とドラムユニットとインクボトルの中から適合するものを組合わせて構成される印刷装置に関する。
【０００２】
【従来の技術】
印刷装置の一種である孔版印刷装置には、複数種類の印刷機本体と、複数種類のドラムユニットと、複数種類のインクボトルとが存在し、この内から所望の印刷機本体を選択し、この選択した印刷機本体に適合する前記ドラムユニットを選択して装着し、この装着した前記ドラムユニットに適合し、且つ、所望の前記インクボトルを選択して装着することによって構成されるものがある。これは印刷機本体の構造（解像度の違い、印圧のかけ方等）上の相違により印刷性能が異なるため、この異なる構造毎に適したドラムユニットやインクボトルを装着することによる。そして、このように組合わせによって孔版印刷装置を構成するものにあっては、使用するインク自体の違い（例えば黒インクとカラーインク）によって、印刷機本体の印刷制御等を可変させる必要もある。このような理由によって印刷機本体、ドラムユニット、インクボトルのそれぞれに識別コード等の識別手段を持たせ、識別コード等の識別手段によって組合わせの相違をチェックしたり、互いに組み合わされたものを認識することによって制御内容を決定したりしていた。
【０００３】
具体例を挙げて説明すると、例えば図８に示すように、印刷機本体としては、国内４００ｄｐｉ機種、海外４００ｄｐｉ機種、国内６００ｄｐｉ機種、海外６００ｄｐｉ機種の４種類があり、ドラムユニットとしては４００ｄｐｉ用機種（黒用とカラー用はこの具体例では同じ機種）、６００ｄｐｉ用機種の２種類があり、インクボトルとしては４００ｄｐｉ黒インク、４００ｄｐｉカラーインク、６００ｄｐｉ黒インク、６００ｄｐｉカラーインクの４種類があり、印刷機本体には１〜４の機種コードを、ドラムユニットには１、２の種類コードとドラムカラーコード（インクボトルのインクとして黒を使用するか、カラーを使用するかの情報コード）を、インクボトルには「１００」等のボトルコードをそれぞれ持たせている。
【０００４】
図７に示すように、例えば印刷機本体として国内４００ｄｐｉ機種を選択した場合には、ドラムユニットとして４００ｄｐｉ用機種を選択し、黒インクを使用する場合にはインクボトルとして４００ｄｐｉ黒インクを選択する組合わせとなる。そして、印刷機本体が機種コードを持ち、これに適合するドラムユニットとの対応情報を有することから、例えばドラムユニットとして６００ｄｐｉ用機種が選択された場合にはドラム違いエラーが検出でき、又、ドラムユニットが種類コードとドラムカラーコードを持ち、これに適合するボトルユニットとの対応情報を有することから、例えばインクボトルとして４００ｄｐｉカラーインクが選択された場合にはボトル違いエラーが検出できる。又、印刷機本体がボトルコードを取得することによって使用するインクに適した印刷制御等を行わせることができる。
【０００５】
そして、従来では、印刷機本体、ドラムユニット、インクボトルに識別コードを持たせるのに識別コード自体を生産工程等で印刷機本体及びドラムユニットに作業者が入力していた。
【０００６】
【発明が解決しようとする課題】
従って、従来では、作業者が各種識別コードを把握しておく必要があると共に印刷機本体及びドラムユニットのそれぞれに識別コードを入力しなければならず入力作業が煩雑であった。識別コードを設定し間違えることもある。
【０００７】
そこで、本発明は、前記した課題を解決すべくなされたものであり、印刷機本体及びドラムユニットへの識別コードの設定処理が簡単なデータ入力でできる印刷装置を提供することを目的とする。
【０００８】
【課題を解決するための手段】
請求項１の発明は、複数種類の印刷機本体と、複数種類のドラムユニットと、複数種類のインクボトルとが存在し、この内から所望の印刷機本体を選択し、この選択した印刷機本体に適合する前記ドラムユニットを選択して装着し、この装着した前記ドラムユニットに適合し、且つ、所望の前記インクボトルを選択して装着することによって構成される印刷装置において、前記印刷機本体と前記ドラムユニットとは、互いの通信手段を介して情報の授受を可能に構成し、前記印刷機本体には、各種コードを入力できる入力手段と、複数種類の印刷機本体の機種コードとこれに適合するドラムユニットのドラム種類コードとの対応情報を記憶する本体側対応情報メモリと、コード情報を記憶する本体側コード記憶手段とを設け、前記入力手段により入力された前記印刷機本体の機種コードに対応するドラム種類コードを前記本体側対応情報メモリの対応情報より導き出し、この導き出されたドラム種類コードと入力された機種コードとを前記本体側コード記憶手段に記憶し、前記ドラムユニットには、複数種類のドラム種類コード及びカラーコードの各組合わせとこれに適合する前記インクボトルのボトルコードとの対応情報を記憶するドラム側対応情報メモリと、コード情報を記憶するドラム側コード記憶手段とを設け、前記入力手段により入力されたカラーコードと前記本体側コード記憶手段に記憶されたドラム種類コードを情報として対応するボトルコードを前記ドラム側対応情報メモリの対応情報より導き出し、この導き出されたボトルコードと前記本体側コード記憶手段からのドラム種類コードとを前記ドラム側コード記憶手段に記憶したことを特徴とする。
【０００９】
この印刷装置では、機種コードを入力すると、前記印刷機本体の本体側コード記憶手段には機種コードと共に適合可能なドラムコードが記憶され、インク自体の種類コードを入力すると、前記ドラムユニットのドラム側コード記憶手段にはドラムコードと共にボトルコードが記憶され、以上より印刷機本体には機種コードが、ドラムユニットにはドラムコード及びボトルコードが設定される。
【００１０】
請求項２の発明は、請求項１記載の印刷装置であって、前記ドラムユニットには装着された前記インクボトルのボトルコードを検出するボトルコード検出手段を設け、このボトルコード検出手段に検出されたボトルコードと前記ドラム側コード記憶手段に記憶されたボトルコードとを比較してボトル違いエラーを検出したことを特徴とする。
【００１１】
この印刷装置では、請求項１の発明の作用に加え、間違ったインクボトルを装着したときにはボトル違いエラーとなる。
【００１２】
請求項３の発明は、請求項２記載の印刷装置であって、前記ドラムユニットに前記インクボトルが未装着の場合、又は、間違ったインクボトルが装着されている場合には、未装着又はボトル違いエラーを表示すると共に、前記ドラム側コード記憶手段に記憶されたボトルコードに対応するインクボトルの種類を表示したことを特徴とする。
【００１３】
この印刷装置では、請求項２の発明の作用に加え、インクボトルが未装着のとき、又は、間違ったインクボトルが装着されているときには、適正なインクボトルの種類が表示される。
【００１４】
【発明の実施の形態】
以下、本発明の一実施形態を図面に基づいて説明する。
【００１５】
図１〜図６は本発明の一実施形態を示し、図１は印刷機本体とドラムユニットとの概略回路ブロック図、図２（Ａ）は印刷機本体設定のフローチャート、図２（Ｂ）はドラムユニット設定のフローチャート、図３は本体固定値設定処理のフローチャート、図４はドラム固定値設定処理のフローチャート、図５はドラムユニット側の制御手段（ＣＰＵ）がオンした時のフローチャート、図６はインクボトル情報取得処理のフローチャートである。
【００１６】
孔版印刷装置は、図８に示す各種類の印刷機本体とドラムユニットとインクボトルとを選択材料として有する。つまり、印刷機本体としては、国内４００ｄｐｉ機種、海外４００ｄｐｉ機種、国内６００ｄｐｉ機種、海外６００ｄｐｉ機種の４種類があり、ドラムユニットとしては４００ｄｐｉ用機種（黒用とカラー用はこの具体例では同じ機種）、６００ｄｐｉ機種の２種類があり、インクボトルとしては４００ｄｐｉ黒インク、４００ｄｐｉカラーインク、６００ｄｐｉ黒インク、６００ｄｐｉカラーインクの４種類があり、印刷機本体には１〜４の機種コードを、ドラムユニットには１、２の種類コードとドラムカラーコード（インクボトルのインクとして黒を使用するか、カラーを使用するかの情報コード）を、インクボトルには「１００」等のボトルコードをそれぞれ持たせている。
【００１７】
図１において、各印刷機本体１は操作パネル２を備え、この操作パネル２は入力手段と表示手段とを有する。入力手段によって各種モードの選択や印刷枚数等の入力が行われると共に下記する各種コードの入力が行われる。この入力情報は制御手段（ＣＰＵ）３に出力される。
【００１８】
制御手段（ＣＰＵ）３は、操作パネル２の表示情報を制御すると共に、製版機構４、排版機構５、給紙機構６、排紙機構７、印刷機構８を制御する。制御手段３にはドラム有無センサ９の検出出力が導かれており、制御手段３はこのドラム有無センサ９に検出出力によってドラムユニット２０が装着されたか否かを検出できる。制御手段３には本体側通信手段１０が接続され、この本体側通信手段１０を介してドラムユニット２０側と情報の授受が可能に構成されている。
【００１９】
又、制御手段３は、ＲＡＭ１１と本体側対応情報メモリであるＲＯＭ１２と本体側コード記憶手段１３に接続され、これらのデータの読みだし、書き込みを制御できるよう構成されている。ＲＯＭ１２には図２、図３等のフローを実行するプログラムが格納されている。下記で詳しく説明するが、全種類の印刷機本体１の機種コードとこれに適合するドラムユニット２０のドラムコードとの対応情報が記憶されている。本体側コード記憶手段１３は、例えばノンボラタイルメモリにて構成され、電源オフ状態でも記憶内容を保持するよう構成されている。
【００２０】
そして、制御手段３は識別コード設定モード（印刷機本体設定モードとドラムユニット設定モードとから成る）時には図２及び図３のフロー動作を実行するべく制御する。この制御内容については下記する。
【００２１】
各ドラムユニット２０は、制御手段２１を有し、この制御手段２１にはドラム側通信手段２２が接続され、このドラム側通信手段２２を介して印刷機本体１側と情報の授受が可能に構成されている。つまり、印刷機本体１の制御手段３とドラムユニット２０の制御手段２１とは双方向のデータ通信が可能であり、操作パネル２に入力された情報の内でドラムユニット２０に必要な情報をドラムユニット２０に転送可能であると共に、本体側コード記憶手段１３の情報をドラムユニット２０に、反対にドラム側コード記憶手段３１の情報を印刷機本体１に転送可能である。
【００２２】
制御手段２１にはボトルセット第１スイッチ２３、ボトルセット第２スイッチ２４及びボトルセット第３スイッチ２５の検出情報が入力され、制御手段２１はこの各スイッチ２３、２４、２５の情報によって装着されたインクボトルの識別コードを取得できるよう構成されていうる。各スイッチ２３、２４、２５は装着されるインクボトル（図示せず）の識別コードの情報に基づいて機械的にオンオフされる。又、制御手段２１にはインク有無センサ２６、インク温度センサ２７、ドラムＡ検センサ２８の検出情報が入力され、制御手段２１はこの各センサ２６、２７、２８の情報によってインクの有無、インク温度、ドラム回転位置の情報を取得できる。又、制御手段２１は、印刷モード時にはインクモータ３２の制御を行う。
【００２３】
又、制御手段２１は、ＲＡＭ２９とドラム側対応情報メモリであるＲＯＭ３０とドラム側コード記憶手段３１に接続され、これらのデータの読みだし、書き込みを制御できるよう構成されている。ＲＯＭ３０には図２（Ｂ）、図４、図５、図６等のフローを実行するプログラムが格納されている。下記で詳しく説明するが、全種類のドラムコード及びインク自体の各種類の組合わせとこれに適合するインクボトルのボトルコードとの対応情報が記憶されている。ドラム側コード記憶手段３１は、例えばノンボラタイルメモリにて構成され、電源オフ状態でも記憶内容を保持するよう構成されている。
【００２４】
そして、制御手段２１は識別コード設定モード時（印刷機本体設定モードとドラムユニット設定モードとから成る）には図２及び図４のフロー動作を、ドラムユニット２０の制御手段（ＣＰＵ）のオン時には図５及び図６のフロー動作を実行するべく制御する。
【００２５】
次に、上記構成の作用について説明する。作業工程者が、所望の印刷機本体１に対しこれに適合するドラムユニット２０を装着する。そして、識別コード設定モードの印刷機本体設定モードを選択し、図２（Ａ）に示すように、作業工程者が印刷機本体１の機種コードを操作パネル２を用いて入力する（ステップＳ１）。つまり、印刷機本体１が国内４００ｄｐｉ機種であれば「１」を入力する。制御手段３は機種コードが入力されると本体固定値設定処理に移行する（ステップＳ２）。
【００２６】
本体固定値設定処理は、図３に示すように、入力された機種コードが１か２か３か４かをチェックし、入力された機種コードに対応する使用可能ドラムコード（１又は２）を導き出す（ステップＳ１０〜Ｓ１７）。そして、この導き出した使用可能ドラムコード（１又は２）及び入力された機種コード（１又は２又は３又は４）を本体側コード記憶手段１３に書き込む（ステップＳ１８、Ｓ１９）。又、入力された機種コードが１か２か３か４のいずれでもない場合には機種コード設定不良エラーとし（ステップＳ２０）、例えば操作パネル２の表示手段にその旨を表示する。
【００２７】
次に、識別コード設定モードのドラムユニット設定モードを選択し、図２（Ｂ）に示すように、作業工程者が使用するインク（黒又はカラー）のコードをドラムカラーコード（１又は２）として操作パネル２を用いて入力する（ステップＳ３）。つまり、孔版印刷装置を白黒用としたい場合には「１」を、カラー用として使用したい場合には「２」を入力する。制御手段２１はドラムカラーコードが入力されるとドラム固定値設定処理に移行する（ステップＳ４）。
【００２８】
ドラム固定値設定処理は、図４に示すように、制御手段２１が本体側コード記憶手段１３の使用可能ドラムコード（１又は２）を転送してもらい、この使用可能ドラムコード（１又は２）をドラムコード（１又は２）としてセットする（ステップＳ３０、Ｓ３１、Ｓ３５、Ｓ３６）。そして、ドラムコードが「１」であり、ドラムカラーコードが「１」であればボトルコードとして「１００」をセットし、ドラムカラーコードが「１」でなければボトルコードとして「０１０」をセットする（ステップＳ３２〜Ｓ３４）。ドラムコードが「２」であり、ドラムカラーコードが「１」であればボトルコードとして「１０１」をセットし、ドラムカラーコードが「１」でなければボトルコードとして「０１１」をセットする（ステップＳ３７〜Ｓ３９）。そして、この導き出したボトルコード（「１００」」等）及び転送してもらったドラムコード（１又は２）をドラム側コード記憶手段３１に書き込む（ステップＳ４０、Ｓ４１）。これで識別コード設定が完了する。
【００２９】
以上より、機種コードを入力すると、印刷機本体１の本体側コード記憶手段１３には機種コードと共に適合可能なドラムコードが記憶され、インク自体の種類コードを入力すると、ドラムユニット２０のドラム側コード記憶手段３１にはドラムコードと共にボトルコードが記憶される。つまり、作業工程者は、機種コードと使用するインクのカラーコードとを入力するだけで、印刷機本体１には機種コードが、ドラムユニット２０にはドラムコード及びボトルコードが設定されるため、印刷機本体１とドラムユニット２０への識別コードの設定処理が簡単なデータ入力でできる。
【００３０】
また、生産工程では、上記したように識別コード設定モードとして印刷機本体設定とドラムユニット設定の両方の設定が必要であるが、ドラムユニット２０のみの納品時には、印刷機本体１側の印刷機本体設定が既に行われているので、ドラムユニット設定を行うだけで良い。つまり、ドラムユニット２０はカラーインク等のオプションとして販売され、従来では、客先の印刷機本体１の機種情報やインク情報を入手してインクボトルコード等の識別手段を設定する必要があったが、本発明ではインクのカラー情報としてのドラムカラーコードを入力すれば良い。
【００３１】
次に、ドラムユニット２０側の制御手段２１がオンした時の動作を説明する。ドラムユニット２０側の制御手段２１は、孔版印刷装置の電源がオンされた時、又は、印刷機本体１から離脱したドラムユニット２０が再び装着された時に制御手段２１がオンされる。制御手段２１がオンされると、図５に示すように、制御手段（ＣＰＵ）２１が初期化され、インクボトル情報取得の処理に移行される（ステップＳ５０、Ｓ５１）。
【００３２】
インクボトル情報取得の処理は、図６に示すように、スイッチ情報を「０００」に初期化し（ステップＳ７０）、ボトルセット第１スイッチ２３、ボトルセット第２スイッチ２４、ボトルセット第３スイッチ２５の各出力をチェックし、ボトルセット第１スイッチ２３がオンであれば「１００」、ボトルセット第２スイッチ２４がオンであれば「０１０」、ボトルセット第３スイッチ２５がオンであれば「００１」の各所定値をスイッチ情報の「０００」にインクリーメントする（ステップＳ７１〜Ｓ７６）。
【００３３】
このようにしてスイッチ情報、つまり、装着されているインクボトル（図示せず）のボトルコードを取得すると、図５に戻り、このボトルコードとドラム側コード記憶手段３１に記憶されているボトルコードとを比較して適合するボトルが装着されているか否かを確認する（ステップＳ５５）。このボトル確認情報を通信処理によって印刷機本体１側の制御手段３に転送し、適合するボトルが装着されている場合には、インクモータ制御等の処理に移行する（ステップＳ５６、Ｓ５７）。適合するボトルが装着されていない場合にはボトル違いエラーと判断し、例えば操作パネル２の表示手段にその旨を表示すると共に適正なインクボトルの種類を表示する処理を行う。
【００３４】
又、取得したボトルコードが「０００」のままであれば、インクボトルが装着されていないため、ボトル無しと判断し、例えば操作パネル２の表示手段にその旨を表示すると共に適正なインクボトルの種類を表示する処理を行う。
【００３５】
この実施形態では、間違ったインクボトルを装着したときにはボトル違いエラーとなるため、間違ったインクボトルの装着を防止できる。又、インクボトルが未装着のとき、又は、間違ったインクボトルが装着されているときには、適正なインクボトルの種類が表示されるため、適正なインクボトルを容易に装着できる。
【００３６】
又、この実施形態では、インク自体の種類コードが黒インクとカラーインクとを表すものについて説明したが、これ以外の場合、例えばインク材料（インク特性）が異なり、装着されたインクボトルのインク材料に応じた印刷制御等が必要な場合にも同様に適用できる。
【００３７】
尚、前記実施形態によれば、孔版印刷装置について説明したが、孔版以外の印刷装置に適用できることはもちろんである。
【００３８】
尚、前記実施形態によれば、本体側対応情報メモリであるＲＯＭ１２と本体側コード記憶手段１３とが、又は、ドラム側対応情報メモリであるＲＯＭ２９とドラム側コード記憶手段３１とが、それぞれ別々に設けられているが、電源オフ時でも情報を保持できるものであればそれぞれ同じ記憶手段として構成しても良い。
【００３９】
【発明の効果】
以上説明したように、請求項１の発明によれば、複数種類の印刷機本体と、複数種類のドラムユニットと、複数種類のインクボトルとが存在し、この内から所望の印刷機本体を選択し、この選択した印刷機本体に適合する前記ドラムユニットを選択して装着し、この装着した前記ドラムユニットに適合し、且つ、所望の前記インクボトルを選択して装着することによって構成される印刷装置において、前記印刷機本体と前記ドラムユニットとは、互いの通信手段を介して情報の授受を可能に構成し、前記印刷機本体には、各種コードを入力できる入力手段と、複数種類の印刷機本体の機種コードとこれに適合するドラムユニットのドラム種類コードとの対応情報を記憶する本体側対応情報メモリと、コード情報を記憶する本体側コード記憶手段とを設け、前記入力手段により入力された前記印刷機本体の機種コードに対応するドラム種類コードを前記本体側対応情報メモリの対応情報より導き出し、この導き出されたドラム種類コードと入力された機種コードとを前記本体側コード記憶手段に記憶し、前記ドラムユニットには、複数種類のドラム種類コード及びカラーコードの各組合わせとこれに適合する前記インクボトルのボトルコードとの対応情報を記憶するドラム側対応情報メモリと、コード情報を記憶するドラム側コード記憶手段とを設け、前記入力手段により入力されたカラーコードと前記本体側コード記憶手段に記憶されたドラム種類コードを情報として対応するボトルコードを前記ドラム側対応情報メモリの対応情報より導き出し、この導き出されたボトルコードと前記本体側コード記憶手段からのドラム種類コードとを前記ドラム側コード記憶手段に記憶したので、機種コードを入力すると、前記印刷機本体の本体側コード記憶手段には機種コードと共に適合可能なドラム種類コードが記憶され、インク自体の種類コードを入力すると、前記ドラムユニットのドラム側コード記憶手段にはドラム種類コードと共にボトルコードが記憶され、以上より印刷機本体には機種コードが、ドラムユニットにはドラム種類コード及びボトルコードが設定されるため、印刷機本体及びドラムユニットへの識別コードの設定処理が簡単なデータ入力でできる。
【００４０】
請求項２の発明によれば、請求項１記載の印刷装置であって、前記ドラムユニットには装着された前記インクボトルのボトルコードを検出するボトルコード検出手段を設け、このボトルコード検出手段に検出されたボトルコードと前記ドラム側コード記憶手段に記憶されたボトルコードとを比較してボトル違いエラーを検出したので、請求項１の発明の効果に加え、間違ったインクボトルを装着したときにはボトル違いエラーとなるため、間違ったインクボトルの装着を防止できる。
【００４１】
請求項３の発明によれば、請求項２記載の印刷装置であって、前記ドラムユニットに前記インクボトルが未装着の場合、又は、間違ったインクボトルが装着されている場合には、未装着又はボトル違いエラーを表示すると共に、前記ドラム側コード記憶手段に記憶されたボトルコードに対応するインクボトルの種類を表示したので、請求項２の発明の効果に加え、インクボトルが未装着のとき、又は、間違ったインクボトルが装着されているときには、適正なインクボトルの種類が表示されるため、適正なインクボトルを容易に装着できる。
【図面の簡単な説明】
【図１】本発明の一実施形態を示し、印刷機本体とドラムユニットとの概略回路ブロック図である。
【図２】本発明の一実施形態を示し、（Ａ）は印刷機本体設定のフローチャート、（Ｂ）はドラムユニット設定のフローチャートである。
【図３】本発明の一実施形態を示し、本体固定値設定処理のフローチャートである。
【図４】本発明の一実施形態を示し、ドラム固定値設定処理のフローチャートである。
【図５】本発明の一実施形態を示し、ドラムユニット側の制御手段（ＣＰＵ）がオンした時のフローチャートである。
【図６】本発明の一実施形態を示し、インクボトル情報取得処理のフローチャートである。
【図７】印刷機本体とドラムユニットとインクボトルとの適合する組み合わせ、及び、間違った組み合わせの一例を示す図である。
【図８】印刷機本体とドラムユニットとインクボトルとの識別コード、及び、これらの適合する組み合わせを示す図である。
【符号の説明】
１  印刷機本体
２  操作パネル（入力手段）
１０  本体側通信手段
１２  ＲＯＭ（本体側対応情報メモリ）
１３  本体側コード記憶手段
２０  ドラムユニット
２２  ドラム側通信手段
２９  ＲＯＭ（ドラム側対応情報メモリ）
３１  ドラム側コード記憶手段
【図１】
0003785014.tif 000002
【図２】
0003785014.tif 000003
【図３】
0003785014.tif 000004
【図４】
0003785014.tif 000005
【図５】
0003785014.tif 000006
【図６】
0003785014.tif 000007
【図７】
0003785014.tif 000008
【図８】
0003785014.tif 000009